(57)【要約】【課題】開閉扉を開閉操作する際の操作力の軽減を図るとともに、構成部品の破損の抑制を図る開閉機構及び画像形成装置を提供する。【解決手段】装置本体の開口を覆う閉位置と開口を開放する開位置の間で移動可能に回転支持された開閉扉２１０と、装置本体に設けられた回転軸１０４で回転可能に支持されたリンク部材２４０と、開閉扉が閉位置に移動する際にリンク部材と接触しながら移動する第１の案内面２２１と開閉扉が開位置に移動する際にリンク部材と接触しながら移動する第２の案内面２２２とを有するガイド部材２２０と、リンク部材を第１の案内面から第２の案内面へ案内する切り替え部材８００を備える。切り替え部材８００は、根元部８０２と、根元部から装置本体とは反対側に延びた腕８０４とを含み、腕８０４には根元部８０２を軸とした第１の案内面２２１へ向かった第１の回転モーメントＭ１がかかっている。【選択図】図５
2020154116.tif 000002
【特許請求の範囲】
【請求項１】
装置本体の開口を覆う閉位置と前記開口を開放する開位置の間で移動可能に回転支持された開閉扉と、
前記装置本体に設けられた回転軸で回転可能に支持されたリンク部材と、
前記開閉扉が前記閉位置に移動する際に前記リンク部材と接触しながら移動する第１の案内面と、前記開閉扉が前記開位置に移動する際に前記リンク部材と接触しながら移動する第２の案内面とを有するガイド部材と、
前記リンク部材を第１の案内面から前記第２の案内面へ案内する切り替え部材と、を備え、
前記切り替え部材は、
根元部と、前記根元部から前記装置本体とは反対側に延びた腕と、を含み、前記腕には、前記根元部を軸とした前記第１の案内面へ向かった第１の回転モーメントがかかっている、
ことを特徴とする開閉機構。
【請求項２】
請求項１に記載の開閉機構において、
前記切り替え部材の前記根元部は、前記ガイド部材に回転自在に取り付けられている、
ことを特徴とする開閉機構。
【請求項３】
請求項２に記載の開閉機構において、
前記ガイド部材は、前記切り替え部材の背面が対向する基部と、前記基部の上面から突出する根元受け部と、を含み、
前記切り替え部材の前記根元部は、前記ガイド部材の前記根元受け部の外周面に回転自在に取り付けられている、
ことを特徴とする開閉機構。
【請求項４】
請求項２に記載の開閉機構において、
前記ガイド部材は、前記切り替え部材の背面が対向する基部と、前記基部に形成された根元受け孔と、を含み、
前記切り替え部材の前記根元部は、前記ガイド部材の前記基部へ突出した突出軸部を含み、
前記切り替え部材の前記根元部の前記突出軸部が、前記ガイド部材の前記根元受け孔に入り込んで、回転自在に取り付けられている、
ことを特徴とする開閉機構。
【請求項５】
請求項３に記載の開閉機構において、
第１の弾性部材を、さらに備え、
前記ガイド部材の前記根元受け部は、前記第１の弾性部材の一端を受ける第１の弾性受け部を含み、
前記切り替え部材の前記腕は、前記第１の弾性部材の他端を受ける第２の弾性受け部を含み、
前記第１の弾性部材の両端のそれぞれを前記第１の弾性受け部と前記第２の弾性受け部とが受けて、前記第１の回転モーメントが生じている、
ことを特徴とする開閉機構。
【請求項６】
請求項５に記載の開閉機構において、
前記第１の弾性受け部と前記第２の弾性受け部の少なくとも一方は、前記第１の弾性部材の端部が引っ掛かる段部である、
ことを特徴とする開閉機構。
【請求項７】
請求項５に記載の開閉機構において、
前記ガイド部材の前記根元受け部は、一部の壁が切り欠かれた円筒状を有し、
前記ガイド部材の前記第１の弾性受け部は、前記根元受け部の内壁面と、前記根元受け部の切り欠れた部分の端面とが形成する段部である、
ことを特徴とする開閉機構。
【請求項８】
請求項５に記載の開閉機構において、
前記切り替え部材の前記第２の弾性受け部は、前記切り替え部材の前記腕に形成された溝である、
ことを特徴とする開閉機構。
【請求項９】
請求項３または４に記載の開閉機構において、
第１の弾性部材を、さらに備え、
前記切り替え部材は、前記根元部の外面から前記腕とは反対側に延びた延長部を含み、
前記切り替え部材の前記延長部が、前記第１の弾性部材により前記第２の案内面へ向かって付勢されて、前記第１の回転モーメントが生じている、
ことを特徴とする開閉機構。
【請求項１０】
請求項９に記載の開閉機構において、
前記第１の弾性部材は、板ばねであり、
前記ガイド部材は、前記基部の上面から突出し、前記板ばねの一端を受ける第１の弾性受け部を含み、
前記切り替え部材の前記延長部は、前記板ばねが圧接される第２の弾性受け部を含む、
ことを特徴とする開閉機構。
【請求項１１】
請求項１から１０のいずれか一項に記載の開閉機構において、
前記リンク部材は、先端側に第２の弾性部材が張架されて第２の回転モーメントを受けながら前記回転軸を中心として回転する、
ことを特徴とする開閉機構。
【請求項１２】
請求項１１に記載の開閉機構において、
前記開閉扉が前記開位置から前記閉位置へ移動する際に、前記リンク部材は前記第１の案内面の少なくとも終端部で前記弾性部材が張架された先端側が上死点を越えて前記第２の回転モーメントの向きが反転し、前記ガイド部材を前記開閉扉の移動方向に引き込む、
ことを特徴とする開閉機構。
【請求項１３】
請求項１２に記載の開閉機構において、
前記切り替え部材の前記腕は、前記第１の案内面の少なくとも終端部で前記第２の回転モーメントが反転した前記リンク部材と接触して前記リンク部材の第２の回転モーメントを受けながら前記第２の案内面の側に移動して前記リンク部材を前記第２の案内面に案内する、
ことを特徴とする開閉機構。
【請求項１４】
請求項１３に記載の開閉機構において、
前記第２の案内面は、前記開閉扉の移動方向に沿う緩やかな傾斜角度を有する第１案内部と前記開閉扉の移動方向と交差する方向で前記第１案内部より急峻な傾斜角度を有する第２案内部からなり、前記開閉扉が前記閉位置から前記開位置へ移動する際に、前記リンク部材が前記第１案内部に沿って回転しながら前記開閉扉の開位置への移動にともなって前記第２案内部に沿って回転して前記第２の弾性部材が張架された先端側が上死点を越えて前記第２の回転モーメントの向きが反転する、
ことを特徴とする開閉機構。
【請求項１５】
用紙に画像を形成する画像形成部と、
前記画像形成部に向けて前記用紙を搬送する用紙搬送部と、
請求項１から１４のいずれか一項に記載の開閉機構と、を備えた、
ことを特徴とする画像形成装置。
【発明の詳細な説明】
【技術分野】
【０００１】
本発明は、開閉機構及び画像形成装置に関する。
【背景技術】
【０００２】
装置本体と、装置本体に開閉可能に設けられた開閉部材と、装置本体と開閉部材のいずれか一方に支軸を介して回転可能に支持され、開閉部材が閉止された状態を固定する固定レバーと、支軸を移動可能に保持する保持手段と、固定レバーが支持された側とは他方側である装置本体または開閉部材に設けられ、開閉部材を閉じた時に固定レバーが連結する被連結部と、固定レバーの回転角度位置を、被連結部に連結して開閉部材を固定する固定位置と、被連結部に連結可能な待機位置の２位置のうちのいずれか一方の位置に位置付ける弾性部材と、開閉部材が装置本体から離間しており、かつ、固定レバーが固定位置にある状態から、開閉部材を閉じた時に、固定レバーに作用することにより、固定レバーを、支軸ごと被連結部への連結可能位置に移動させる連結手段と、支軸を固定レバーの待機位置に対応した位置に付勢する支軸付勢手段と、を具備する開閉機構が知られている（特許文献１）。
【先行技術文献】
【特許文献】
【０００３】
【特許文献１】特開２０１１−５３２８１号公報
【発明の概要】
【発明が解決しようとする課題】
【０００４】
本発明は、開閉扉を開閉操作する際の操作力の軽減を図るとともに、構成部品の破損の抑制を図る開閉機構及び画像形成装置を提供することを目的とする。
【課題を解決するための手段】
【０００５】
請求項１に係る発明は、装置本体の開口を覆う閉位置と前記開口を開放する開位置の間で移動可能に回転支持された開閉扉と、前記装置本体に設けられた回転軸で回転可能に支持されたリンク部材と、前記開閉扉が前記閉位置に移動する際に前記リンク部材と接触しながら移動する第１の案内面と、前記開閉扉が前記開位置に移動する際に前記リンク部材と接触しながら移動する第２の案内面とを有するガイド部材と、前記リンク部材を第１の案内面から前記第２の案内面へ案内する切り替え部材と、を備え、前記切り替え部材は、根元部と、前記根元部から前記装置本体とは反対側に延びた腕と、を含み、前記腕には、前記根元部を軸とした前記第１の案内面へ向かった第１の回転モーメントがかかっている、ことを特徴とする開閉機構である。
【０００６】
請求項２に係る発明は、請求項１に記載の開閉機構において、前記切り替え部材の前記根元部は、前記ガイド部材に回転自在に取り付けられている、ことを特徴とするものである。
【０００７】
請求項３に係る発明は、請求項２に記載の開閉機構において、前記ガイド部材は、前記切り替え部材の背面が対向する基部と、前記基部の上面から突出する根元受け部と、を含み、前記切り替え部材の前記根元部は、前記ガイド部材の前記根元受け部の外周面に回転自在に取り付けられている、ことを特徴とするものである。
【０００８】
請求項４に係る発明は、請求項２に記載の開閉機構において、前記ガイド部材は、前記切り替え部材の背面が対向する基部と、前記基部に形成された根元受け孔と、を含み、前記切り替え部材の前記根元部は、前記ガイド部材の前記基部へ突出した突出軸部を含み、前記切り替え部材の前記根元部の前記突出軸部が、前記ガイド部材の前記根元受け孔に入り込んで、回転自在に取り付けられている、ことを特徴とするものである。
【０００９】
請求項５に係る発明は、請求項３に記載の開閉機構において、第１の弾性部材を、さらに備え、前記ガイド部材の前記根元受け部は、前記第１の弾性部材の一端を受ける第１の弾性受け部を含み、前記切り替え部材の前記腕は、前記第１の弾性部材の他端を受ける第２の弾性受け部を含み、前記第１の弾性部材の両端のそれぞれを前記第１の弾性受け部と前記第２の弾性受け部とが受けて、前記第１の回転モーメントが生じている、ことを特徴とするものである。
【００１０】
請求項６に係る発明は、請求項５に記載の開閉機構において、前記第１の弾性受け部と前記第２の弾性受け部の少なくとも一方は、前記第１の弾性部材の端部が引っ掛かる段部である、ことを特徴とするものである。
【００１１】
請求項７に係る発明は、請求項５に記載の開閉機構において、前記ガイド部材の前記根元受け部は、一部の壁が切り欠かれた円筒状を有し、前記ガイド部材の前記第１の弾性受け部は、前記根元受け部の内壁面と、前記根元受け部の切り欠れた部分の端面とが形成する段部である、ことを特徴とするものである。
【００１２】
請求項８に係る発明は、請求項５に記載の開閉機構において、前記切り替え部材の前記第２の弾性受け部は、前記切り替え部材の前記腕に形成された溝である、ことを特徴とするものである。
【００１３】
請求項９に係る発明は、請求項３または４に記載の開閉機構において、第１の弾性部材を、さらに備え、前記切り替え部材は、前記根元部の外面から前記腕とは反対側に延びた延長部を含み、前記切り替え部材の前記延長部が、前記第１の弾性部材により前記第２の案内面へ向かって付勢されて、前記第１の回転モーメントが生じている、ことを特徴とするものである。
【００１４】
請求項１０に係る発明は、請求項９に記載の開閉機構において、前記第１の弾性部材は、板ばねであり、前記ガイド部材は、前記基部の上面から突出し、前記板ばねの一端を受ける第１の弾性受け部を含み、前記切り替え部材の前記延長部は、前記板ばねが圧接される第２の弾性受け部を含む、ことを特徴とするものである。
【００１５】
請求項１１に係る発明は、請求項１から１０のいずれか一項に記載の開閉機構において、前記リンク部材は、先端側に第２の弾性部材が張架されて第２の回転モーメントを受けながら前記回転軸を中心として回転する、ことを特徴とするものである。
【００１６】
請求項１２に係る発明は、請求項１１に記載の開閉機構において、前記開閉扉が前記開位置から前記閉位置へ移動する際に、前記リンク部材は前記第１の案内面の少なくとも終端部で前記弾性部材が張架された先端側が上死点を越えて前記第２の回転モーメントの向きが反転し、前記ガイド部材を前記開閉扉の移動方向に引き込む、ことを特徴とするものである。
【００１７】
請求項１３に係る発明は、請求項１２に記載の開閉機構において、前記切り替え部材の前記腕は、前記第１の案内面の少なくとも終端部で前記第２の回転モーメントが反転した前記リンク部材と接触して前記リンク部材の第２の回転モーメントを受けながら前記第２の案内面の側に移動して前記リンク部材を前記第２の案内面に案内する、ことを特徴とするものである。
【００１８】
請求項１４に係る発明は、請求項１３に記載の開閉機構において、前記第２の案内面は、前記開閉扉の移動方向に沿う緩やかな傾斜角度を有する第１案内部と前記開閉扉の移動方向と交差する方向で前記第１案内部より急峻な傾斜角度を有する第２案内部からなり、前記開閉扉が前記閉位置から前記開位置へ移動する際に、前記リンク部材が前記第１案内部に沿って回転しながら前記開閉扉の開位置への移動にともなって前記第２案内部に沿って回転して前記第２の弾性部材が張架された先端側が上死点を越えて前記第２の回転モーメントの向きが反転する、ことを特徴とするものである。
【００１９】
請求項１５に係る発明は、用紙に画像を形成する画像形成部と、前記画像形成部に向けて前記用紙を搬送する用紙搬送部と、請求項１から１４のいずれか一項に記載の開閉機構と、を備えた、ことを特徴とする画像形成装置である。
【発明の効果】
【００２０】
請求項１、１５に係る発明によれば、開閉扉を開閉操作する際の操作力が軽減するとともに、開閉機構の構成部品の破損が抑制される。
【００２１】
請求項２に係る発明によれば、切り替え部材の上をリンク部材本体が通過して回転することができる。
【００２２】
請求項３、４に係る発明によれば、切り替え部材がガイド部材に別部品を設けて取り付けられる場合に比べて、簡易に、切り替え部材をガイド部材に取り付けられる。
【００２３】
請求項５に係る発明によれば、第１の弾性部材が、切り替え部材の内側に配置される、または、配置され易くなるため、省スペース化が図られる。
【００２４】
請求項６〜８に係る発明によれば、第１の弾性部材の各端部を切り替え部材とガイド部材が別部品を設けて受ける場合に比べて、より簡易な構造となる。
【００２５】
請求項９、１０に係る発明によれば、切り替え部材の内側に第１の弾性部材を配置して第１の回転モーメントを生じさせる構造に比べて、より簡易な構造になり得る。
【００２６】
請求項１１に係る発明によれば、リンク部材の回転方向を切り替えられる。
【００２７】
請求項１２に係る発明によれば、開閉扉の閉操作の操作力を軽減することができる。
【００２８】
請求項１３に係る発明によれば、リンク部材から開閉扉の引き込み力を受けることができる。
【００２９】
請求項１４に係る発明によれば、開閉扉の開操作の操作力を軽減することができる。
【図面の簡単な説明】
【００３０】
【図１】画像形成装置の内部構成を示す縦断面模式図である。
【図２】用紙搬送部の内部構成と用紙搬送を示す断面模式図である。
【図３】用紙搬送ユニットの断面模式図である。
【図４】（ａ）は用紙搬送部を開放したときの開閉扉と用紙搬送ユニットの位置関係を示す模式図、（ｂ）は開閉扉の閉動作による用紙搬送ユニットの移動を示す用紙搬送部の模式図である。
【図５】（ａ）は開閉機構の構成を示す模式図、（ｂ）は開閉扉が閉位置でロックされている状態の開閉機構を示す模式図である。
【図６】切り替え部材のガイド部材への取付構造を示す斜視図である。
【図７】切り替え部材の正面側斜視図である。
【図８】切り替え部材の背面側斜視図である。
【図９】切り替え部材の腕に第１の回転モーメントを生じさせる構造を説明する図である。
【図１０】切り替え部材の腕に第１の回転モーメントを生じさせる別の構造を説明する図である。
【図１１】開閉扉が閉位置に移動するときのリンク部材による開閉扉の引き込み動作を説明する模式図である。
【図１２】開閉扉が開位置に移動するときのリンク部材の復帰動作を説明する模式図である。
【図１３】開閉扉が開位置に向かって少し移動した後、再び閉位置に移動するときのリンク部材の動作を説明する模式図である。
【発明を実施するための形態】
【００３１】
次に図面を参照しながら、以下に実施形態及び具体例を挙げ、本発明を更に詳細に説明するが、本発明はこれらの実施形態及び具体例に限定されるものではない。また、以下の図面を使用した説明において、図面は模式的なものであり、各寸法の比率等は現実のものとは異なることに留意すべきであり、理解の容易のために説明に必要な部材以外の図示は適宜省略されている。尚、以後の説明の理解を容易にするために、図面において、前後方向をＸ軸方向、左右方向をＹ軸方向、上下方向をＺ軸方向とする。
【００３２】
（１）画像形成装置の全体構成及び動作
図１は本実施形態に係る画像形成装置１の内部構成を示す縦断面模式図である。以下、図面を参照しながら、画像形成装置１の全体構成及び動作を説明する。
【００３３】
画像形成装置１は、筐体１００内に、制御装置１０、給紙装置２０、感光体ユニット３０、現像ユニット４０、転写ユニット５０、用紙搬送ユニット６０、定着ユニット７０等を備えて構成されている。画像形成装置１の上面（Ｚ方向）には、画像が記録された用紙が排出・収容される排出トレイ部Ｔが形成されている。さらに、画像形成装置１の側面（−Ｘ方向）には、用紙Ｐが紙詰まりした際の除去や点検等をする場合に、画像形成装置１の内部を開放する開閉扉２１０が回転可能に支持されている。
【００３４】
制御装置１０は、画像形成装置１の動作を制御する画像形成装置制御部１１と、印刷処理要求に応じた画像データを準備するコントローラ部１２、露光ヘッドＬＨの点灯を制御する露光制御部１３、電源装置１４等を有する。電源装置１４は、後述する帯電ローラ３２、現像ローラ４２、一次転写ローラ５２、二次転写ローラ６２等に高圧電圧を印加するとともに、露光ヘッドＬＨ、給紙装置２０、定着ユニット７０及び備えられた各センサ等に電力を供給する。
【００３５】
コントローラ部１２は、外部の情報送信装置（例えばパーソナルコンピュータ等）から入力された印刷情報を潜像形成用の画像情報に変換して予め設定されたタイミングで、駆動信号を露光ヘッドＬＨに出力する。本実施形態の露光ヘッドＬＨは、複数の発光素子（ＬＥＤ：Light  Emitting  Diode）が主走査方向に沿って線状に配列されたＬＥＤヘッドにより構成されている。
【００３６】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載された用紙Ｐは、上側から１枚ずつ用紙引き出し部２２により前方（−Ｘ方向）に引き出された後、用紙案内ガイド２３を経由して駆動ローラ２５ａと従動ローラ２５ｂとからなるレジストローラ対２５のニップ部まで搬送される。
【００３７】
感光体ユニット３０は、給紙装置２０の上方（Ｚ方向）に、それぞれが並列して設けられ、感光体ドラム３１を備えている。感光体ドラム３１の周囲には、回転方向に沿って、帯電ローラ３２、露光ヘッドＬＨ、現像ユニット４０、一次転写ローラ５２、クリーニングブレード３３が配置されている。
【００３８】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。現像ユニット４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００３９】
回転する感光体ドラム３１の表面は、帯電ローラ３２により帯電され、露光ヘッドＬＨから出射する潜像形成光により静電潜像が形成される。感光体ドラム３１上に形成された静電潜像は現像ローラ４２によりトナー像として現像される。
【００４０】
転写ユニット５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に付着している残留トナーを除去する中間転写ベルトクリーナ５４を備えて構成されている。
【００４１】
用紙搬送ユニット６０は、給紙装置２０から繰り出された用紙Ｐの姿勢を補正して二次転写のタイミングに合わせて用紙Ｐを二次転写部ＴＲへ送り込むレジストローラ対２５の従動ローラ２５ｂと、中間転写ベルト５１上に重畳して転写された各色トナー像を記録媒体である用紙Ｐに一括転写（二次転写）する二次転写ローラ６２とを備えている。また、転写されたトナー像が保持された用紙Ｐは搬送ガイド６５を介して定着ユニット７０の定着ニップ部Ｎへ案内される。
【００４２】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００４３】
中間転写ベルト５１上の重畳トナー像は、中間転写ベルト５１の移動に伴って二次転写部ＴＲに搬送される。重畳トナー像が二次転写部ＴＲに搬送されると、そのタイミングに合わせてレジストローラ対２５から用紙Ｐが二次転写部ＴＲに供給される。そして、二次転写ローラ６２には、画像形成装置制御部１１により制御される電源装置１４等から所定の転写電圧が印加され、レジストローラ対２５から送り出された用紙Ｐに中間転写ベルト５１上の多重トナー像が一括転写される。
【００４４】
感光体ドラム３１表面の残留トナーは、クリーニングブレード３３により除去され、廃トナー回収容器（不図示）に回収される。感光体ドラム３１の表面は、帯電ローラ３２により再帯電される。
【００４５】
定着ユニット７０は、加熱モジュール７１と加圧モジュール７２を有し、加熱モジュール７１と加圧モジュール７２の圧接領域によって定着ニップ部Ｎ（定着領域）が形成される。二次転写部ＴＲにおいてトナー像が転写された用紙Ｐは、トナー像が未定着の状態で搬送ガイド６５を経由して定着ユニット７０に搬送される。定着ユニット７０に搬送された用紙Ｐは、一対の加熱モジュール７１と加圧モジュール７２により、加熱と圧着の作用でトナー像が定着される。
【００４６】
定着トナー像が形成された用紙Ｐは、搬送ローラ対７８を介して排出ローラ対７９から画像形成装置１上面の排出トレイ部Ｔに排出される。また、両面印刷される場合は、表面が定着された用紙Ｐの後端が搬送ローラ対７８を通過した時点で、排出ローラ対７９が反転駆動されて、開閉扉２１０内に形成された反転搬送路から、レジストローラ対２５へ搬送されて裏面に画像形成が行われる。
【００４７】
（２）用紙搬送部の構成と動作
図２は用紙搬送部の内部構成と用紙搬送を示す断面模式図、図３は用紙搬送ユニット６０の断面模式図、図４（ａ）は用紙搬送部を開放したときの開閉扉２１０と用紙搬送ユニット６０の位置関係を示す模式図、（ｂ）は開閉扉２１０の閉動作による用紙搬送ユニット６０の移動を示す用紙搬送部の模式図、図５（ａ）は開閉機構２００の構成を示す模式図、（ｂ）は開閉扉２１０が閉位置でロックされている状態の開閉機構２００を示す模式図である。以下、図面を参照しながら、画像形成装置１の用紙搬送部の構成と動作について説明する。
【００４８】
用紙搬送部は、筐体１００、開閉扉２１０を含む開閉機構２００、用紙搬送ユニット６０から構成されている。
【００４９】
（２．１）筐体
筐体１００は、側方（−Ｘ方向）に開口部を有し、内部には感光体ユニット３０、現像ユニット４０、転写ユニット５０等が収容されている。筐体１００の開口部側下端には、開閉扉２１０の回転中心となる軸受部１０１が形成され、後述する開閉扉２１０の回転軸２１１を回転可能に支持している。
【００５０】
筐体１００の開口部側上部には、ロックピン１０３がそれぞれ開閉扉２１０の開閉方向と交差する方向に突出して設けられている。そして、開閉扉２１０の上方に回転可能に設けられたラッチレバー２１５の凹部２１５ａが嵌り込んで開閉扉２１０が筐体１００に開口部を閉塞した状態で固定される。
【００５１】
（２．２）開閉扉
開閉扉２１０は、内部に、用紙搬送ユニット６０を回転支持するとともに、筐体１００の軸受部１０１に回転軸２１１を支持されて、筐体１００の開口部を塞ぐ閉位置と開口部を開放する開位置との間で回転移動する。開閉扉２１０の筐体１００と対向する内面には、表面が定着されたのち搬送方向を反転させられた用紙Ｐがレジストローラ対２５に再度合流するまでに通過する反転搬送路の一方となる外側搬送ガイド２１３が形成されている。
【００５２】
外側搬送ガイド２１３は、用紙搬送ユニット６０に形成された内側搬送ガイド６３１と所定の間隙を保持して、反転搬送路を形成している。反転搬送路内には、複数の搬送ローラ対１２０、１３０、１４０が配置され、外側搬送ガイド２１３には搬送ローラ対１２０、１３０、１４０を構成する駆動側搬送ローラ１２０ａ、１３０ａ、１４０ａが配置されている。
【００５３】
（２．３）用紙搬送ユニット
用紙搬送ユニット６０は、レジユニット部６１０、二次転写ユニット部６２０、両面ユニット部６３０から構成されている。
【００５４】
レジユニット部６１０は、第１用紙案内ガイド６１１、レジストローラ対２５の従動ローラ２５ｂ、第２用紙案内ガイド６１２を有している。レジストローラ対２５の駆動ローラ２５ａは装置本体側に配設されている。第１用紙案内ガイド６１１は給紙装置２０から繰り出された用紙Ｐ及び両面ユニット部６３０を介して搬送される用紙Ｐをレジストローラ対２５のニップ部へ案内する。第２用紙案内ガイド６１２は、レジストローラ対２５から姿勢を補正して送り出される用紙Ｐを二次転写部ＴＲへ案内する。
【００５５】
二次転写ユニット部６２０は、二次転写ローラ６２、搬送ガイド６５を有し、二次転写のタイミングに合わせて送り込まれた用紙Ｐに、中間転写ベルト５１側へ付勢された二次転写ローラ６２で中間転写ベルト５１上に保持されたトナー像を一括転写（二次転写）する。トナー像が転写された用紙Ｐは、搬送ガイド６５を介して定着ユニット７０の定着ニップ部Ｎへ案内される。
【００５６】
両面ユニット部６３０は、開閉扉２１０の内面側に形成された外側搬送ガイド２１３と対向して、反転搬送路の他面側を構成する内側搬送ガイド６３１を有し、両面印刷される用紙Ｐをレジストローラ対２５へ搬送する。内側搬送ガイド６３１には、搬送ローラ対１３０のピンチローラ１３０ｂ、搬送ローラ対１４０のピンチローラ１４０ｂがそれぞれ回転自在に配設されている。
【００５７】
また、内側搬送ガイド６３１の下方側には、回転軸部６３２が左右一対に形成されている。回転軸部６３２は開閉扉２１０の両側側板２１０ａに形成された軸受部２１２に嵌挿され、用紙搬送ユニット６０は開閉扉２１０に対して回転可能に支持される。
【００５８】
図４に示すように、内側搬送ガイド６３１の両側には、圧縮コイルバネＳの一端が固定され、他端は開閉扉２１０の内側搬送ガイド６３１に面した内面側に固定されている。これにより、開閉扉２１０が閉位置で固定されているときには、用紙搬送ユニット６０と開閉扉２１０の間には互いに圧縮コイルばねＳの付勢力が作用している。
【００５９】
そのために、開閉扉２１０が開位置に移動する際に、用紙搬送ユニット６０は、開閉扉２１０の移動とともに回転し、レジストローラ対２５のニップが解除されるとともに、二次転写部ＴＲにおける二次転写ローラ６２と中間転写ベルト５１とのニップも解除される。そして、反転搬送路を形成している内側搬送ガイド６３１と外側搬送ガイド１１３が圧縮コイルバネＳの付勢力によって互いに開放されて搬送ローラ対１２０、１３０、１４０のニップも解除される。
【００６０】
開閉扉２１０を開位置から閉位置に戻す場合には、開閉扉２１０を筐体１００側へ回転移動させる。開閉扉２１０の筐体１００側への回転移動に伴って、用紙搬送ユニット６０も筐体１００側へ回転移動し、レジストローラ対２５のニップ及び二次転写部ＴＲにおける二次転写ローラ６２のニップによる反力を受けた状態でラッチレバー２１５の凹部２１５ａがロックピン１０３に嵌り込んで固定される。
【００６１】
（２．４）開閉機構
次に、開閉機構について説明する。図５（ａ）は、開閉機構の構成を示す模式図であり、図５（ｂ）は、開閉扉２１０が閉位置でロックされている状態の開閉機構を示す模式図である。なお、図５以降の各図において、開閉機構の構成を理解し易くするために、引張りコイルばね２５０，２６０の一部が省略して描かれている箇所があり、また、切り替え部材８００の上（切り替え部材８００の正面側）を通過するリンク部材２４０が透過して描かれている。
【００６２】
開閉機構２００は、開閉扉２１０と、開閉扉２１０に配置されたガイド部材２２０と、第１の弾性部材（後述）により第１の回転モーメントＭ１が付与された切り替え部材８００と、筐体１００に配置されたリンク部材２４０と、リンク部材２４０に第２の回転モーメントＭ２を付与する第２の弾性部材の一例としての引張りコイルばね２５０と、ガイド部材２２０に第３の回転モーメントＭ３を付与する第３の弾性部材の一例としての引張りコイルばね２６０とを含んで構成されている。
【００６３】
ガイド部材２２０は、開閉扉２１０の上方でラッチレバー２１５の下方に支持軸２１６で回転可能に支持され、一端に引張りコイルばね２６０が張架されて第３の回転モーメントＭ３が作用した状態で開閉扉２１０に設けられた突き当て部２１７に当接して回転が規制されている。
【００６４】
また、ガイド部材２２０は、図５（ａ）に示すように、開閉扉２１０が閉位置に移動する際に後述するリンク部材２４０のスタッド２４２と接触しながら移動する第１の案内面２２１と、開閉扉２１０が開位置に移動する際にリンク部材２４０のスタッド２４２と接触しながら移動する第２の案内面２２２とを有する。
【００６５】
第１の案内面２２１は、開閉扉２１０が閉位置に移動する際にリンク部材２４０のスタッド２４２を迎え入れる始端２２１ａから終端２２１ｂに向かって斜め下方に向かう移動軌跡を形成している。
【００６６】
第２の案内面２２２は、第１の案内面２２１の下方に形成され、開閉扉２１０の移動方向に沿う緩やかな傾斜角度を有する第１案内部２２２Ａと、開閉扉２１０の移動方向と交差する方向で第１案内部２２２Ａより急峻な傾斜角度を有する第２案内部２２２Ｂからなり、開閉扉２１０が開位置に移動する際にリンク部材２４０のスタッド２４２と接触しながら移動する移動軌跡を形成している。
【００６７】
切り替え部材８００は、根元部８０２と、根元部８０２から筐体１００とは反対側に延びた腕８０４とを含み、腕８０４には根元部８０２を軸とした第１の案内面２２１へ向かった第１の回転モーメントＭ１がかかっている。第１の回転モーメントＭ１により、腕８０４の先端側の上面が第１の案内面２２１に接している。
【００６８】
切り替え部材８００の腕８０４は、その上面にリンク部材２４０のスタッド２４２が当たって、第１の回転モーメントＭ１に打ち勝って押し下げられ、第１の案内面２２１の終端２２１ｂの下方で、第２の案内面２２２の始端２２２ａ付近に回転する（図１１（ｂ），（ｃ）参照）。また、切り替え部材８００は、第１の案内面２２１で案内されるリンク部材２４０のスタッド２４２が第１の案内面２２１の終端２２１ｂ付近で上死点を越えた際に、腕８０４がリンク部材２４０の反転した第２の回転モーメントＭ２を受ける。これにより、開閉扉２１０には、筐体１００側への引き込み力が作用し、開閉扉２１０の閉位置への操作力が軽減されている。切り替え部材８００の第２の案内面２２２へ向かった回転は、腕８０４の先端側の下面が第２の案内面２２２に接することにより規制される。
【００６９】
図５に示すように、リンク部材２４０は、基端側２４０ａが筐体１００に設けられた回転軸１０４で回転可能に支持されている。先端側２４０ｂには、回転方向と交差する方向に突出するスタッド２４２を有し、スタッド２４２には引張りコイルばね２５０が張架されている。その結果、リンク部材２４０は、引張りコイルばね２５０の張架方向と回転軸１０４とスタッド２４２を結ぶ仮想線ｃ２とが同一直線上に重なった位置を上死点として、時計回り又は反時計回りのいずれかに反転して引張りコイルばね２５０による第２の回転モーメントＭ２が作用するようになっている（図５（ａ）、（ｂ）中の矢印Ｍ２参照）。
【００７０】
（２．５）切り替え部材
ここで、切り替え部材８００についてさらに詳しく説明する。図６は切り替え部材８００のガイド部材２２０への取付構造を示す斜視図であり、図７は切り替え部材８００の正面側斜視図であり、図８は切り替え部材８００の背面側斜視図であり、図９は切り替え部材８００の腕に第１の回転モーメントＭ１を生じさせる構造を説明する図である。図９には、切り替え部材８００が半透明に描かれており、切り替え部材８００の背面側に配置されるトーションばね８０８（第１の弾性部材）が示されている。
【００７１】
図６に示すように、ガイド部材２２０は、切り替え部材８００の背面が対向する板状の基部２２５と、基部２２５の上面から突出する円筒状の根元受け部２２６と、根元受け部２２６の外周に沿って環状に基部２２５に形成された孔であって切り替え部材８００の根元部８０２の回動範囲に対応させて形成された孔２２７（図９参照）を含む。
【００７２】
図６、７に示すように、切り替え部材８００の根元部８０２は、ガイド部材２２０の根元受け部２２６よりも径が大きい円筒状で、根元部８０２の外周壁の一部には、空隙を間に有してジグザグ状に形成された線状部８０２ａが形成されている。根元部８０２は、線状部８０２ａの一部として、ガイド部材２２０の基部２２５へ向かって延びる係合部８０２ｂを有し、係合部８０２ｂの先端には爪８０６が形成されている。
【００７３】
切り替え部材８００の根元部８０２は、その内周面をガイド部材２２０の根元受け部２２６の外周面に沿わせながら、上側から根元受け部２２６に差し込まれて、根元受け部２２６に回転自在に取り付けられている。切り替え部材８００の係合部８０２ｂの先端は、ガイド部材２２０の基部２２５の孔２２７に入り込んで、切り替え部材８００の爪８０６の上面はガイド部材２２０の根元受け部２２６の下面に対向して配置されている。それにより、切り替え部材８００の根本部８０２がガイド部材２２０の根本受け部２２６から外れることが防がれている。
【００７４】
このように切り替え部材８００の根元部８０２がガイド部材２２０に取り付けられているため、図５（ｂ）等に示すように、切り替え部材８００の上（切り替え部材８００の正面側）をリンク部材２４０の本体が通過して回転することができる。また、切り替え部材８００の根元部８０２は、ガイド部材２２０の根元受け部２２６の外周面に回転自在に取り付けられる構造であるため、切り替え部材８００がガイド部材２２０に別部品を設けて取り付けられる場合に比べて、簡易に、切り替え部材８００をガイド部材２２０に取り付けることができる。
【００７５】
次に、切り替え部材８００の腕８０４に第１の回転モーメントＭ１を生じさせる構造について説明する。図９に示すように、ガイド部材２２０の円筒状の根元受け部２２６の内側には、第１の回転モーメントＭ１を生じさせるためのトーションばね８０８が配置されている。第１の弾性部材としてのトーションばね８０８は、ばね線が円筒状に巻かれたばね本体８０９と、ばね本体８０９から飛び出す２つのばね線の先端であってＬ字状に形成された２つのばね端部８１０ａ，８１０ｂを備える。
【００７６】
ガイド部材２２０の円筒状の根元受け部２２６は、一部の壁が切り欠かれて形成された切欠き部２２６ａ（図６、９参照）を有し、図９に示すように、根元受け部２２６の内壁面２２６ｂと根元受け部２２６の切欠き部２２６ａの端面２２６ｃとが、トーションばね８０８のＬ字状の一端（ばね端部８１０ａ）を受ける段部（第１の弾性受け部）を形成している。
【００７７】
また、切り替え部材８００は、図８、９に示すように、背面に形成された四角形の溝８１６、および、溝８１６と根元部８０２の内側空間とを連通させる通路８１４を備える。図９に示すように、切り替え部材８００の通路８１４の内壁面と溝８１６の内壁面とが、トーションばね８０８のＬ字状の他端（ばね端部８１０ｂ）を受ける段部（第２の弾性受け部）を形成している。すなわち、ガイド部材２２０の根元受け部２２６に配置されたトーションばね８０８のばね本体８０９から切り替え部材８００の腕８０４に向かうばね線が、根元受け部２２６の切欠き部２２６ａ（上記第１の弾性受け部を形成する切欠き部とは別の切欠き部）と、切り替え部材８００の通路８１４を通って溝８１６に達しており、溝８１６に達したばね線の先端である、ばね端部８１０ｂが、段部に受け付けられる構造である。
【００７８】
なお、切り替え部材８００にトーションばね８０８を取り付ける手順としては、まず、ガイド部材２２０の根元受け部２２６にトーションばね８０８を配置しておき、切り替え部材８００の根元部８０２を、上側からガイド部材２２０の根元受け部２２６に差し込むようにすればよい。
【００７９】
このように、ガイド部材２２０の根元受け部２２６は、トーションばね８０８（第１の弾性部材）の一端を受ける段部（第１の弾性受け部）を含み、切り替え部材８００の腕８０４は、トーションばね８０８の他端を受ける段部（第２の弾性受け部）を含んでおり、トーションばね８０８の両端のそれぞれを第１の弾性受け部と第２の弾性受け部とが受けて、切り替え部材８００の腕８０４に第１の回転モーメントＭ１が生じている。この構造によれば、トーションばね８０８が、切り替え部材８００の内側に配置されることになるため、省スペース化が図られる。また、この構造によれば、トーションばね８０８の各端部を切り替え部材８００とガイド部材２２０が別部品を設けて受ける場合に比べて、より簡易な構造となる。
【００８０】
以上、切り替え部材８００について説明したが、切り替え部材８００の構造、切り替え部材８００のガイド部材２２０への取付構造、及び、切り替え部材８００の腕８０４に第１の回転モーメントＭ１を生じさせる構造は、上記したものに限定されるものではない。例えば、切り替え部材８００のガイド部材２２０への取付構造は、図６に示した構造に代えて、ガイド部材２２０の基部２２５に円状の根元受け孔を形成し、切り替え部材８００の根元部８０２にガイド部材の基部へ突出した円柱状の突出軸部を形成し、切り替え部材８００の根元部８０２の突出軸部を、ガイド部材２２０の基部２２５の根元受け孔に入り込ませることで、切り替え部材８００の根元部８０２がガイド部材２２０に回転自在に取り付けられるような構造でもよい。
【００８１】
また、トーションばね８０８の２つのばね端部８１０ａ，８１０ｂを受ける段部については、例えば、ガイド部材２２０および切り替え部材８００に、突出部分や穴等を設けて段部を形成するようにしてもよい。
【００８２】
また、切り替え部材８００の腕８０４に第１の回転モーメントＭ１を生じさせるための第１の弾性部材は、他のバネ、ゴム等の種々の弾性部材を採用することができる。図１０には、第１の回転モーメントＭ１を生じさせる別の構造が示されている。図１０の例では、第１の弾性部材として板ばね８３８を用い、ガイド部材２２０は、基部２２５の上面から突出し板ばね８３８の一端を挟み込んで保持する弾性受け部２３６（第１の弾性受け部）を含み、切り替え部材８００は、根元部８０２の外面から腕８０４とは反対側に延びる延長部８３０を含む。切り替え部材８００の延長部８３０は、板ばね８３８に圧接される部分である弾性受け部８３２（第２の弾性受け部）を含んでいる。この構造では、切り替え部材８００の延長部８３０が、板ばね８３８により第２の案内面２２２へ向かって付勢されることにより、切り替え部材８００の腕８０４に第１の案内面８２１へ向かった第１の回転モーメントＭ１を生じさせる。このように、板ばね８３８を用いても、第１の回転モーメントＭ１を生じさせることができる。なお、図１０に示す構造を採用する場合には、切り替え部材８００の延長部８３０、ガイド部材２２０の基部２２５に形成された弾性受け部２３６、及び板ばね８３８は、リンク部材２４０のスタッド２４２の移動を邪魔しないように、より基部２２５の上面に近い側（下側）に配置されるべきである。
【００８３】
（３）開閉扉の開閉動作
次に、図面を参照しながら、開閉機構２００の動作について説明する。図１１は開閉扉２１０が閉位置に移動するときのリンク部材２４０による開閉扉２１０の引き込み動作を説明する模式図、図１２は開閉扉２１０が開位置に移動するときのリンク部材２４０の復帰動作を説明する模式図、図１３は開閉扉２１０が開位置に向かって少し移動した後、再び閉位置に移動するときのリンク部材２４０の動作を説明する模式図である。
【００８４】
（３．１）開閉扉の閉動作
まず、開閉扉２１０の閉動作について説明する。開閉扉２１０を開位置から閉位置に戻す場合、開閉扉２１０を筐体１００側へ回転移動させると、開閉扉２１０に固定されたガイド部材２２０も筐体１００側へ回転移動し、筐体１００に配置されたリンク部材２４０のスタッド２４２が第１の案内面２２１の始端２２１ａ側から接触する（図１１（ａ）参照）。
【００８５】
そして、開閉扉２１０をさらに閉位置へ回転移動させると、リンク部材２４０のスタッド２４２は第１の案内面２２１の移動軌跡に沿いながら回転し第１の案内面２２１の終端２２１ｂ付近で上死点に位置し第２の回転モーメントＭ２が作用しない状態になる（図１１（ｂ）参照）。なお、この時、切り替え部材８００の腕８０４の上面にリンク部材２４０のスタッド２４２が当たっており、スタッド２４２は、切り替え部材８００の腕８０４の第１の回転モーメントＭ１に打ち勝って、腕８０４を少し押し下げている。
【００８６】
そして、スタッド２４２が上死点に達したリンク部材２４０は、第２の回転モーメントＭ２の向きが反転すると同時に切り替え部材８００の腕８０４をさらに押し下げ、回転させる。そして、切り替え部材８００の腕８０４は、ガイド部材２２０の第２の案内面２２２に接して回転を規制された状態で、向きが反転したリンク部材２４０による第２の回転モーメントＭ２を受けて、開閉扉２１０には閉位置方向にリンク部材２４０の反転した第２の回転モーメントＭ２に基づく引き込み力Ｆ２が作用する（図１１（ｃ）参照）。これにより、レジストローラ対２５のニップ及び二次転写ローラ６２のニップによる反力を一部相殺して操作力を軽減することができる。
【００８７】
さらに開閉扉２１０を閉位置へ回転移動させると、リンク部材２４０のスタッド２４２は切り替え部材８００の腕８０４の上面からガイド部材２２０の第２の案内面に移り、腕８０４は、第１の回転モーメントＭ１が付与されていることにより、第１の案内面に向かって回転し、第１の案内面２２１に接触して元の位置に戻る（図５（ｂ）参照）。このようにして、切り替え部材８００により、リンク部材２４０は第１の案内面から第２の案内面へ案内され、閉位置に到達する。そして、ラッチレバー２１５の凹部２１５ａが、筐体１００に設けられたロックピン１０３に嵌り込んで開閉扉２１０が閉位置で固定される。
【００８８】
（３．２）開閉扉の開動作
次に、開閉扉２１０の開動作について説明する。開閉扉２１０を閉位置から開位置に移動させる場合、開閉扉２１０の上方に設けられたラッチレバー２１５を引き上げて筐体１００に設けられたロックピン１０３との係合を解除して開閉扉２１０を画像形成装置１本体の側方（図１における−Ｘ方向）へ回転移動させる。開閉扉２１０の回転移動が開始されると、リンク部材２４０のスタッド２４２は、ガイド部材２２０の第２の案内面２２２の第１案内部２２２Ａに沿いながら回転する。第１案内部２２２Ａは、開閉扉２１０の移動方向に沿う緩やかな傾斜角度を有しているために、第２の回転モーメントＭ２による引き込み力Ｆ２の作用方向と同方向となり（図１２（ａ）参照）、開閉扉２１０の開放操作の操作力の増大が抑制される。
【００８９】
開閉扉２１０をさらに回転移動させると、リンク部材２４０のスタッド２４２は、第１案内部２２２Ａより急峻な傾斜角度を有する第２案内部２２２Ｂに沿いながら回転して上死点に位置し第２の回転モーメントＭ２が作用しない状態となる（図１２（ｂ）参照）。そして、開閉扉２１０の回転移動とともにリンク部材２４０は、第２の回転モーメントＭ２の向きが反転して開閉扉２１０の閉位置への回転移動を受け入れる待機位置に復帰する（図１２（ｃ）参照）。
【００９０】
このようにして、開閉扉２１０を開放された開位置から閉位置に戻す場合、筐体１００に配置されたリンク部材２４０がガイド部材２２０の第１の案内面２２１に沿って回転しながら第１の案内面２２１の終端２２１ｂ付近で第２の回転モーメントＭ２の向きが反転し、開閉扉２１０にはリンク部材２４０に基づく引き込み力Ｆが作用して操作力を軽減することができる。一方、開閉扉２１０を閉位置から開位置に移動させる場合には、開閉扉２１０の閉操作をアシストするリンク部材２４０は、閉操作時とは異なる第２の案内面２２２の緩やかな傾斜角度を有する第１案内部２２２Ａに沿いながら回転することにより、開操作時の操作力の増大を抑制している。
【００９１】
（３．３）開閉扉の完全開前の閉動作
開閉扉２１０を閉位置から開位置に回転移動させる過程（図１２参照）において、開閉扉２１０が完全に開いた状態（図１２（ｃ）参照）になる前、すなわち、リンク部材２４０が開閉扉２１０の閉位置への回転移動を受け入れる待機位置に復帰する前に、開閉扉２１０が再び閉められる（閉動作が開始される）可能性がある。その場合、図１３の矢印ｇに示すように、リンク部材２４０は待機位置に戻る前に、直接、ガイド部材２２０の第１の案内面２２１へ向かうことになる。
【００９２】
ここで、切り替え部材８００は、根元部８０２より筐体１００側に突出した部分が無いため、リンク部材２４０のスタッド２４２は、根元部８０２の外面に少し接して、または、接しないで、スムーズに第１の案内面２２１へ向かうことができる。すなわち、切り替え部材８００が、根元部８０２より筐体１００側に突出した部分を有する場合には、リンク部材２４０のスタッド２４２が、その突出部分に当たって第１の案内面２２１へ向かうことができない。また、リンク部材２４０のスタッド２４２が、切り替え部材８００を強い力で押して、切り替え部材８００とそれを支持する軸部分（ガイド部材の根元受け部など）を破損してしまう可能性がある。しかし、本実施形態の切り替え部材８００は、根元部８０２より筐体１００側に突出した部分が無いため、開閉機構の構成部品の破損を抑制することができる。
【符号の説明】
【００９３】
１・・・画像形成装置
１０・・・制御装置
２０・・・給紙装置
２５・・・レジストローラ対
３０・・・感光体ユニット
４０・・・現像ユニット
５０・・・転写ユニット
６０・・・用紙搬送ユニット
６１０・・・レジユニット部
６１１・・・第１用紙案内ガイド
６１２・・・第２用紙案内ガイド
６２０・・・二次転写ユニット部
６３０・・・両面ユニット部
６３１・・・内側搬送ガイド
６２・・・二次転写ローラ
７０・・・定着ユニット
１００・・・筐体
１０３・・・ロックピン
１０４・・・回転軸
２１０・・・開閉扉
２１３・・・外側搬送ガイド
２１５・・・ラッチレバー
２１６・・・支持軸
２１７・・・突き当て部材
２２０・・・ガイド部材
２２１・・・第１の案内面
２２２・・・第２の案内面
２２５・・・基部
２２６・・・根本受け部
２２６ａ・・・切欠き部
２２６ｂ・・・内壁面
２２６ｃ・・・端面
２２７・・・孔
２３６・・・弾性受け部
２４０・・・リンク部材
２４２・・・スタッド
２５０・・・引張りコイルばね（リンク部材２４０）
２６０・・・引張りコイルばね（ガイド部材２２０）
８００・・・切り替え部材
８０２・・・根元部
８０２ａ・・・線状部
８０２ｂ・・・係合部
８０４・・・腕
８０６・・・爪
８０８・・・トーションばね（第１の弾性部材）
８０９・・・ばね本体
８１０ａ，８１０ｂ・・・ばね端部
８１４・・・通路
８１６・・・溝
８３０・・・延長部
８３２・・・弾性受け部
８３８・・・板ばね（第１の弾性部材）
Ｓ・・・圧縮コイルばね（用紙搬送ユニット６０）
【図１】
2020154116.tif 000003
【図２】
2020154116.tif 000004
【図３】
2020154116.tif 000005
【図４】
2020154116.tif 000006
【図５】
2020154116.tif 000007
【図６】
2020154116.tif 000008
【図７】
2020154116.tif 000009
【図８】
2020154116.tif 000010
【図９】
2020154116.tif 000011
【図１０】
2020154116.tif 000012
【図１１】
2020154116.tif 000013
【図１２】
2020154116.tif 000014
【図１３】
2020154116.tif 000015